(57)【要約】      （修正有）【課題】筆圧を加わる毎に、或いは、解除する毎に芯を予め定めた角度だけ回転させるので、筆圧の力を常に必要としている。よって、ややもすると、芯が折損してしまい、違和感のある筆記動作とることを改善したシャープペンシルを提供する。【解決手段】外軸の内側に中軸を回動自在に配置すると共に、その中軸に芯繰り出しユニットを配置することで、筆圧より少ない筆記面への接触力で芯の向きを常に一定にすることができ、その結果、筆記面に習って一定の筆記幅が維持され、滑らかな筆記が得ることができる。また、中軸の表面の円周上の一部に錐体を配置したされているため、重力によって、前記中軸の回転は顕著となり、確実に一定した筆記幅が得られる。【選択図】図１
2010125768.tif 000002
【特許請求の範囲】
【請求項１】
外軸の内側に中軸を回動自在に配置すると共に、その中軸に芯繰り出しユニットを配置したシャープペンシル。
【請求項２】
前記中軸の表面の円周上の一部に錐体を配置したシャープペンシル。
【発明の詳細な説明】
【技術分野】
【０００１】
本発明は、芯を回転自在に配置したシャープペンシルに関する。
【背景技術】
【０００２】
１例として実開昭５９−１０７２８６があり、その実用新案登録請求の範囲には、「筆圧が加わる毎に芯を予め定めた角度だけ回転させる手段を備えることを特徴とする自動芯回転機構付シャ−プペンシルである。」と記載されている。
具体的に説明すると、芯保持機構に取り付けられたガイドボールが、軸の内面に形成されたＶ型溝に嵌り込んであり、筆圧を加える毎に、或いは、解除する毎に芯保持機構が上下動すると共に、前記Ｖ型溝によって案内され回転するというものである。
【特許文献１】実開昭５９−１０７２８６
【発明の開示】
【発明が解決しようとする課題】
【０００３】
しかし、上記従来技術にあっては、筆圧を加わる毎に、或いは、解除する毎に芯を予め定めた角度だけ回転させるので、筆圧の力を常に必要としている。よって、ややもすると、芯が折損してしまい、違和感のある筆記動作となってしまっていた。
【課題を解決するための手段】
【０００４】
本発明は、上記問題点を鑑みてなされたものであり、外軸の内側に中軸を回動自在に配置すると共に、その中軸に芯繰り出しユニットを配置したことを要旨とする。
【発明の効果】
【０００５】
本発明は、外軸の内側に中軸を回動自在に配置すると共に、その中軸に芯繰り出しユニットを配置したので、筆圧より少ない筆記面への接触力で芯の向きを常に一定にすることができ、その結果、筆記面に習って一定の筆記幅が維持され、滑らかな筆記が得られる。
【発明を実施するための最良の形態】
【０００６】
作用について説明する。筆記によって芯の先端に片減りが発生し、芯の直径よりも太い筆記幅となるが、その芯の先端と筆記面との接触によって、仮に、軸筒を持ち替えたとしても中軸が回転せしめられ、持ち替える前の筆記幅が得られるようになる。
尚、請求項２においては、中軸の一部に錐体が配置されているため、重力によって、前記中軸の回転は顕著となり、確実に一定した筆記幅が得られる。
【０００７】
図１〜図５で第一例を示し説明する。外軸１は、外周部の筆記の際に握る部分にゴム状弾性体からなるグリップ２が円周上の全域に渡って設けられ嵌着しているが、液状ゴムやウレタン樹脂などを部分的に塗布し固化したり、半球状の樹脂球を外軸１の表面に接着固定したりしても良く、或いは、外軸１の外周に微細なローレット状の凹凸を形成しその外軸１自体を握る部分、つまり、外軸１の前方部をグリップ部３としても良い。そのグリップ２を嵌着、或いは、外軸１自体をグリップ部３とすることにより、筆記時の疲れや痛みを緩和させる効果がある。
【０００８】
前記外軸１の内部には、中軸４が配置されている。その中軸４前方の段５が形成されており、その段５には芯ケース６の膨出部６aが当接している。その芯ケース６の前方には、雄ねじが形成された螺着部７が形成されており、その螺着部７には先金８が螺合している。そして、その先金８の後端部が前記中軸４の前端部に圧着している。つまり、前記芯ケース６は膨出部６aの段部５への当接と、先金８の芯ケース６への締め付けによって、中軸４に固定・取り付けられている。
その先金８と外軸１の接地部９には、リング状のディスク１０が外軸１の先端の内面に圧入された状態で配置されている。これは、中軸４が外軸１に対して回転するときの抵抗を防ぐために設けられたものであり、真鍮やステンレスなどの金属材質から形成されているが、ポリエチレンテレフタレートやアクリロニトリルブタジエンスチレンなどの樹脂材質であっても良い。しかし、摩擦抵抗や耐久性を考慮すると金属材質など硬い材質が好ましい。尚、前記外軸１が、例えば、金属や硬質性樹脂などの硬い材質で形成されている場合には、前記ディスク１０は必ずしも必要なものではなく、先金８前方段部８ａを直接、外軸１の内面に突き当ても良い。
また、前記先金８の先端には、芯パイプ１１が脱着不能に取り付けられ、その芯パイプ１１は外軸１の先端孔１２を貫通し突出している。
一方、外軸１後方には、中軸４の回動を支える尾栓１３が配置されている。その尾栓１３は中軸４の回動の妨げにならないように、中軸４との間に隙間を持たせて外軸１と接合されている。また、中軸４と尾栓１３との回転当接部１４も回転の妨げにならないように、尾栓１３にはテーパー状の円錐部１４ａとなっている。更に、後方接地部１５も中軸４が点で接するように突出部１５ａが形成されており、回転の妨げにならないよう配置されている。
【０００９】
前記芯ケース６の前方には、チャックリング１６を被嵌した２つ割りや３つ割りのチャック体１７が固定されている。そのチャック体１７は芯の把持・解放を行うものであり、チャックリング１６はチャック体１７の開閉を行うものである。チャック体１７としての作動は従来技術と同様であり、チャック体１７をスプリングより後方から押圧すると、芯を把持したチャック体１７が前進し芯が繰り出され、次いで、チャック体１７が拡開し芯を開放する。ここで押圧操作を解除すると、チャック体１７は芯を開放した状態で後退・復帰するが、やがて再び芯を把持する。
中軸４の前方には先金８が螺着などの手段によって着脱自在に固定されており、その先金８の内部には、ゴム状弾性体からなる芯戻り止め部材１８が圧入・固定されている。尚、符号１９は前記チャック体１７や芯ケース６などを後方に向けて付勢するコイルスプリングなどの弾撥部材である。
【００１０】
前記芯ケース６の後方には、ノック部材２０が着脱自在に取り付けられている。そのノック部材２０は、前記尾栓１３に形成された貫通孔１３ａから突出しており、また、その貫通孔１３ａの内径とノック部材２０の外径には、回動自在に作動させる僅かな隙間を設けている。その尾栓１３と外軸１は螺着などの手段によって着脱自在に固定されている。尚、前記芯ケース６には、少なくとも２本以上の芯が蓄えられるものである。
【００１１】
次に動作について説明する。筆記中に、芯の筆記面に対する向きを、常に一定に調整するものである。以下、その操作方法について具体的に説明する。
外軸１を筆記状態にすると、中軸４は回動する。その回動する仕組みを説明する。筆記に従って、芯は片減りし、元々も直径よりも太い筆記幅が得られるようになる。外軸１を約６０度に傾けて筆記するためである。その片減りした芯の片減り面が筆記面に触れたとき、その芯を固定している先金８や中軸４が、先金８の芯パイプ１１と中軸４の回転当接部１４を中心に芯の片減り面に習って回動する。このとき先金８の先端面は、外軸１前方のディスク１０と擦りあいながら回動する。同時に、中軸４の回転当接部１４も尾栓１３と擦れ合いながら回動する。このとき、中軸４と尾栓１３との長手方向の後端面部２１は隙間が生じているため、芯の先端は小さな傾き（即ち、片減り角度）に対して回動する。また、芯の先端を筆記面から引き上げると後端面部２１に再び隙間が生じると共に、中軸４と固定されている先金８などが回転可能となり、再び、一定した筆記幅が得られるようになる。
【００１２】
第一例では中軸４の回転作用に加え、芯の先端と筆記面が接触することで回転し、持ち替える前の筆記幅が得られるようになっていたが、第二例では、更に中軸４の一部に錘を配置することで、その重力によって、前記中軸４の回転を顕著とし、確実に一定した筆記幅が得られるようにしている。以下、図６、図７に示し説明する。
外軸２２の内部には、外周の一部に錘２３を設けた中軸２４が配置されている。その錘２３の前後には、リング状の固定具２５が固定されており、その固定具２５は中軸２４に形成された帯溝２６に嵌め込まれた状態で取り付けられている。これによって、錘２３の中軸２４からの脱落が防止されている。前記固定具２５の間に配置された重量物２７は、固定具２５と同材料からなる鉄板を折り曲げたものとなっている。即ち、固定具２５と重量物２７は一体である。
第一例に錘２３を加えることにより、回動自在に配置された中軸２４は、その錘２３の重力により回動する。よって、芯の先端は前回の筆記した位置に戻り、一定した筆記幅が得られるのである。
他の構成、並びに、作動は前記第一例と同様なので、その説明を省略する。
【００１３】
第三例を図８に示し説明する。中軸２９の外周の一部に配置した錘３０を、前記第二例よりも後方に配置した例である。錘３０を後方に配置することにより、前方にグリップ３１を嵌着しても、グリップ部３２は太く構成されることなく持ちやすい大きさにすることができる。
【００１４】
第四例を図９に示し説明する。中軸３３の前方には、錘３４がインサート成形や異材質成形、或いは、はめ込みなどにより配置されており、その錘３４の外径は中軸３３の外径とほぼ同径をなしている。そのため中軸３３の外周に、大きくはみ出ることなく配置されることになるので、グリップ３５を嵌着してもグリップ部３６は太く構成されることなく持ちやすい大きさにすることができる。
【図面の簡単な説明】
【００１５】
【図１】本考案を実施した正面図
【図２】同上縦断側面図
【図３】図２のＡ−Ａ線断面図
【図４】図２要部中軸単体図
【図５】図４の斜視図
【図６】第二例の縦断側面図
【図７】図６の中軸単体図
【図８】第三例の縦断側面図
【図９】第四例の縦断側面図
【符号の説明】
【００１６】
１    外軸
２    グリップ
３    グリップ部
４    中軸
５    段
６    芯ケース
６ａ  膨出部
７    螺着部
８    先金
８ａ  段部
９    接地部
１０    ディスク
１１    芯パイプ
１２    先端孔
１３    尾栓
１３ａ  貫通孔
１４    回転当接部
１５    後方接地部
１５ａ  突出部
１６    チャックリング
１７    チャック体
１８    芯戻り止め部材
１９    弾発部材
２０    ノック部材
２１    後端面部
２２    外軸
２３    錘
２４    中軸
２５    固定具
２６    帯溝
２７    重量物
２８    先金
２９    中軸
３０    錘
３１    グリップ
３２    グリップ部
３３    中軸
３４    錘
３５    グリップ
３６    グリップ部
【図１】
2010125768.tif 000003
【図２】
2010125768.tif 000004
【図３】
2010125768.tif 000005
【図４】
2010125768.tif 000006
【図５】
2010125768.tif 000007
【図６】
2010125768.tif 000008
【図７】
2010125768.tif 000009
【図８】
2010125768.tif 000010
【図９】
2010125768.tif 000011